(57)【特許請求の範囲】
【請求項１】
折り畳まれた状態で中間折曲線を上部に位置させた時、該中間折曲線に連結される第１の部分及び第２の部分と、前記中間折曲線の両端に行くほど下方へ曲面または傾斜した接合線を有する接合部としての両フランジと、前記第１の部分及び前記第２の部分の側部または前記フランジに固定されるハーネスとを含み、前記第１の部分及び前記第２の部分のうちの少なくともいずれか一つは、水平折曲線を有する一つのシワ部を有し、前記シワ部が中央から両端に行くほど上方へ曲面または傾斜した接合線を有するように接合され、シワ部のある前記第１の部分と前記第２の部分とは、その下端が前記シワ部よりさらに下方へ延びて、その下端が両端に行くほど上方へ曲面または傾斜したエッジを有し、前記水平折曲線と前記シワ部接合線とが前記フランジの接合線と会う、水平折り畳み式顔面部濾過式呼吸器。
【請求項２】
前記第１の部分と前記第２の部分とは各々一つのシワ部を有する、請求項１に記載の水平折り畳み式顔面部濾過式呼吸器。
【請求項３】
前記水平折曲線と前記シワ部接合線とが、前記フランジの接合線上の同じ位置で会う、請求項２に記載の水平折り畳み式顔面部濾過式呼吸器。
【請求項４】
前記水平折り畳み式顔面部濾過式呼吸器が一枚の積層シーツから成る、請求項１乃至３のうちのいずれか一つに記載の水平折り畳み式顔面部濾過式呼吸器。
【請求項５】
前記第１の部分及び第２の部分は、前記同じ位置から前記フランジの接合線に沿って両端へ切開される、請求項３に記載の水平折り畳み式顔面部濾過式呼吸器。
【請求項６】
前記中間折曲線下または前記シワ部は、横軸方向に全体として接合が行われる、請求項４に記載の水平折り畳み式顔面部濾過式呼吸器。
【発明の詳細な説明】
【技術分野】
【０００１】
本発明は、顔面部濾過式呼吸器、特に、水平折り畳み式顔面部濾過式呼吸器またはマスクに関する。
【背景技術】
【０００２】
産業現場や有害な作業環境において発生する粉塵や細菌、大気汚染または環境汚染などから個人の健康を保護するために、マスクを着用する必要がある。
【０００３】
呼吸器の保護効果のための顔面部濾過式呼吸器、すなわち顔面マスクとしては、成形カップ形状と平たく折り畳まれる形状との二種類がある。平たく折り畳まれる形状は、多重葉が折り畳まれる方向により、水平折り畳み式と垂直折り畳み式とにさらに分けられる。成形カップ形状の濾過式呼吸器は、丈夫な構造によって内部空気チェンバーを正確に構築でき、該カップの外周縁が顔の輪郭にぴったりと合わせられると、密閉機能を高めることができるという長所があるが、加熱成形によって空気浄化機能のある層が焼成変形され、浄化機能が劣化されることがある。また、製造工程が比較的複雑で、カップ形状によって保管、保存や運搬が不便になるという短所がある。また、カップの外周縁の形状が顔輪郭形状が異なる多様な個人に応じるのに限界があるという短所がある。
【０００４】
折り畳み可能なマスクとして、３Ｍ社の韓国登録特許第１０−０４３９４８１号（韓国公開特許第１０−１９９８−０７０２６７８号、国際公開ＷＯ１９９６/２８２１７号）には、第１の部材（上葉）及び第２の部材（下葉）が中央部（中葉）の共通表面に少なくとも一部が対面して接触する状態で保管されるように平たく折り畳まれ、使用の際には、中央部と第１の部材及び第２の部材とが結合されないエッジによって着用者の鼻や口を覆うようなカップ形状の空気チャンバーを形成する、いわゆる中葉、上葉及び下葉からなる３葉マスクが示されている。鼻や口の周辺に密閉された空気チェンバーを形成するために、このような３葉マスクは、上葉と下葉とが結合されないエッジのみで着用者の鼻、頬や顎に接触するかまたはこれらを密閉する構造なので、気密性を高めるためにバンドの張力を上げると、着用感が不便で、いかなる場合にも各エッジが全体としてぴんと維持されることが難しく、十分な密閉を確保しにくい。
【０００５】
また、折り畳み可能なマスクとして、３Ｍ社の韓国公開特許第２０１０−００９１４１７号、第２０１０−００９２０６８号及び第２０１０−００９２０６９号には、基本的に横軸を中間線として上下部で構成され、該上部が１段シワを有し、該下部が２段シワを有するように並んで折り畳まれて、両側面に斜めに接合されたフランジが該横軸に連結されるように形成されたマスクが示されている。これらの文献は、鼻クリップ、側面フランジ、表示部などをその特徴としているが、基本的な構造は単純で製造しやすいという長所がある。マスクを着用する時、シワの伸びによって個人の顔輪郭差に対する適応性は高いが、シワの伸びの多様性によって安定性が低く、密閉のためのリングの形成が堅くない。また、フランジが側面のみに設けられ、マスクが全体として高いフレーム強度を現わすことができない。これを解決するために、韓国公開特許第２０１１−００３１１４５には、融着パターンを形成することが示されているが、これでは不充分である。また、韓国公開特許第２０１１−０１１２３４９号には、カップ形状の外観構成が容易になるように結合可能な付加のフレーム強化要素を提供するので、折り畳み不可能な別途の構成が追加されてしまう。このように折り畳み可能なマスクは、製造の手軽さ、携帯、保存や運搬の便利性などの長所があるが、密閉性と着用の安定性とを共に満足させるのが容易でないという問題がある。
【先行技術文献】
【特許文献】
【０００６】
【特許文献１】韓国登録特許第１０−０４３９４８１号公報
【特許文献２】韓国特許公開第１０−１９９８−０７０２６７８号公報
【特許文献３】国際公開１９９６／０２８２１７号
【特許文献４】韓国公開特許第２０１０−００９１４１７号公報
【特許文献５】韓国公開特許第２０１０−００９２０６８号公報
【特許文献６】韓国公開特許第２０１０−００９２０６９号公報
【特許文献７】韓国公開特許第２０１１−００３１１４５号公報
【特許文献８】韓国公開特許第２０１１−０１１２３４９号公報
【発明の概要】
【発明が解決しようとする課題】
【０００７】
本発明者は、折り畳み可能なマスクであって、伸びて使う時、顔の輪郭に接触する部分が単にエッジでなく、無端リング形態を構成でき、成形カップ方式のような安定な半球形状を具現することができるマスクシワ構造を、長期間研究した結果、本発明に至ることになった。
【０００８】
したがって、本発明は、折り畳み可能なマスクであって、使用時には成形カップマスクの形状を具現することができると共に、製造方法が一貫の工程からなり経済性があり、保存、使用及び管理が便利な、水平折り畳み式顔面部濾過式呼吸器を提供することに、その目的がある。
【課題を解決するための手段】
【０００９】
本発明によれば、折り畳まれた状態で中間折曲線を上部に位置させた時、該中間折曲線に連結される第１の部分及び第２の部分と、前記中間折曲線の両端に行くほど下方へ曲面または傾斜した接合線を有する接合部としての両フランジと、前記第１の部分及び前記第２の部分の側部または前記フランジに固定されるハーネスとを含み、前記第１の部分及び前記第２の部分のうちの少なくともいずれか一つは、水平折曲線を有する一つのシワ部を有し、前記シワ部が中央から両端に行くほど上方へ曲面または傾斜した接合線を有するように接合され、シワ部のある前記第１の部分と前記第２の部分とは、その下端が前記シワ部よりさらに下方へ延びて、その下端が両端に行くほど上方へ曲面または傾斜したエッジを有し、前記水平折曲線と前記シワ部接合線とが前記フランジの接合線と会う、水平折り畳み式顔面部濾過式呼吸器が提供される。
【００１０】
以下、特別に言及していない限り、マスクが折り畳まれた状態で中間折曲線を上部に位置させたことを基準として説明する。また、顔面部濾過式呼吸器は簡単にマスクと称することにする。
【００１１】
本発明では、本発明の水平折り畳み式顔面部濾過式呼吸器において、望ましくは、鼻方向の第１の部分及び顎方向の第２の部分の各々は、一つのシワ部を有する。中間折曲線が接合されて形成される両フランジは、マスクの全体中心を取るのに有利で、またハーネスを固定するのに使うが、場合によっては、ハーネスの固定部を残して部分的に除去したり、接合線から若干のマージンを残して除去してもよい。前記中間折曲線は、一枚のシーツを折り曲げてなされることが一般的であるが、場合によっては、二枚のシーツを接合して形成されてもよい。必要に応じて、鼻クリップは、合紙前に、第１の部分に該当する一定な位置に配置され、該合紙処理によって埋め込まれる。
【００１２】
本発明の水平折り畳み式顔面部濾過式呼吸器において、望ましくは、前記水平折曲線と前記シワ部接合線とが前記フランジの接合線上の同じ位置で会う。前記シワ部は、該同じ位置から前記フランジ接合線に沿って両端から切開されてもよい。場合によっては、前記シワ部接合線下のシワ部の余分は、一定部分で切断除去されてもよい。前記両フランジは、前記第１の部分と前記第２の部分とを横切る中間折曲線下で該第１の部分と該第２の部分とが部分的に接合され、該シワ部の一部も共に接合されて形成される。中間折曲線は、横軸方向に全体として接合されることがマスクにおける横軸フレームの強度を得るのに有利である。シワ部の接合においても、横軸方向に全体として行われることがマスクにおけるフレームの強度を得るのに有利である。このようなフレームの強度の増加は、ハーネスを固定するか、使用時にカップ形状を維持するか、これらを両手で掴んで調節するのに有利である。このような中間折曲線下の接合部とシワ部接合部は、必要に応じて切断除去されてもよい。シワ部接合部の側部は、前記フランジの代わりにハーネスの固定部として使われてもよい。
【００１３】
必要によっては、前記必須的シワの下に水平折曲線をさらに有する別途のシワ部が提供されてもよい。本発明のマスクは、保管時に、前記シワ部は水平折曲線によって重ねられ、第１の部分と第２の部分とは互いに対面するように平たく畳まられる。
【００１４】
本発明のマスクは、使用時に、第１の部分及び第２の部分の下端を把持して簡単に広げられ、シワ部が伸びると曲面または傾斜した接合線を有する両フランジと、シワ部と、前記第１の部分及び前記第２の部分の下端の上方へ傾斜した曲面とによって半球を形成する。また、前記第１の部分及び前記第２の部分の下端部は、両側部がフランジ接合線によって接合され、伸び時には、無端リング形状のバンドを形成する。また、使用後に保管のために折り畳む時は、シワ部の折曲線に沿って簡単に折り畳んで元の状態で戻すことができる。
【００１５】
前記第１の部分及び前記第２の部分の素材は、特に制限されなく、織布、不織布など多様な材料が使われてもよい。例えば、静電気が付与されたメルトブロウン不織布とスポンボンデッド不織布とが積層された複合不織布によって作られてもよい。特に、裏地は柔らかな材料、例えば、ポリプロピレンにポリエチレンが混合されて得られる柔らかなスポンボンデッド不織布が用いられてもよい。
【００１６】
中間折曲線の接合やシワ部の接合は、一般に、織布の場合は、裁縫や接着によって行われ、不織布の場合は、融着によって行われる。ハーネスまたは着用バンドは、前記両フランジの部分やシワ部接合部に固定されることが適合する。本発明の水平折り畳み式顔面部濾過式呼吸器は、合紙、折り曲げ、接合及び切断の一貫の工程によって製造されてもよい。また、一枚のパネル（シーツ）として折り曲げ及び接合をする場合には、製造工程において給紙と移送とが容易で、製造工程が単純で、また中間折曲線に沿って二枚のシーツを接合した場合、より一層高い強度を維持する。
【発明の効果】
【００１７】
本発明による水平折り畳み式顔面部濾過式呼吸器は、伸びた時、半球を簡単に形成し、特に中間折曲線とシワ部の接合によるフレーム強化に伴って、使用時には成形カップマスクの形状の調整及び維持が容易で、また一つのパネル（シーツ）で製造でき、生産工程が単純で且つ折り曲げ部の高い強度を得ることができる。また、シワ部下へ延びた第１の部分及び第２の部分の下端部を把持して簡単に伸びて着用できるという長所がある。
【図面の簡単な説明】
【００１８】
【図１ａ】従来の折り畳み式マスクが折り畳まれた状態の正面図である。
【図１ｂ】従来の折り畳み式マスクが折り畳まれた状態の背面図である。
【図２ａ】本発明の一実施形態としてのマスクの正面図である。
【図２ｂ】図２ａのマスクの背面図である。
【図３】図２のマスクの内部から見た斜視図である。
【図４】図２のマスクの使用状態図である。
【図５ａ】本発明の他の実施形態としてのマスクの正面図である。
【図５ｂ】図５ａのマスクの背面図である。
【図６】図５ａのマスクの使用状態図である。
【発明を実施するための形態】
【００１９】
以下、図面を参照して、本発明について詳細に説明する。このような説明は本発明を例示するためのもので、本発明の保護範囲を限定して解釈することではない。
【００２０】
図１ａ及び図１ｂは各々、従来の折り畳み式マスクが折り畳まれた状態の正面図及び背面図である。マスクは、その横軸を中間線にして上下部から構成され、上部が１段シワ３を、下部が２段シワ４、５を有するように並んで折りたたまれている。マスクは、鼻クリップ６と該鼻クリップ表示部７とを備え、その両側面に斜めに接合されたフランジ２が該横軸に連結されるように設けられる。マスクを着用する際、シワの伸びによって個人の顔輪郭の差への適応性はあるが、シワの伸びの程度を調節することが難しく、また伸び形態の安定性が低く、密閉のためのリングの形成が堅くない。
【００２１】
図２ａは、本発明の一実施形態として、外層スポンボンデッド、中層メルトブロウン及び内層裏地用スポンボンデッドの３層で構成される濾過布を用いて製造されるマスクの正面図である。マスクは、折り畳まれた状態で中間折曲線１１を上部とした時、該中間折曲線１１に連結される鼻方向の第１の部分３０と、顎方向の第２の部分４０とから成る。鼻クリップ１６は、外層スポンボンデッド層と中層メルトブロウン層との合紙前に、適切に位置合わせられて合紙して埋め込まれる。中間折曲線１１から両端に行くほど、下方へ傾斜して形成された曲面接合線１３を有する接合部としての二つのフランジ１２が設けられる。中間折曲線１１の下には余分の接合部１１ａが設けられてもよい。第１の部分３０は、水平折曲線１４ａを有する一つのシワ部１４を備える。シワ部１４の下端は、中央から両端へ行くほど上側に傾斜して設けられた曲面接合線１４ｂを有する。第１の部分３０の下端１８は、該シワ部１４よりさらに下方へ延び、その下端が両端に行くほど上方へ曲面または傾斜曲面のエッジ１８ａを有する。水平折曲線１４ａとシワ部１４の両曲面接合線１４ｂとは、フランジ１２の接合線１３上の位置１９で互いに会うことになるO中間折曲線１１の下で接合されて設けられる両方のフランジ１２は、マスクの全体中心を維持した状態でハーネス２１を固定するのに用いられるO本実施形態では、シワ部１４において接合線１３下のシワ部余分が全て切断除去される。
【００２２】
図２ｂは、図２ａの裏面図である。第２の部分４０は、鼻クリップがないことを除いては、図２ａに示す上部としての第１の部分３０と概ね類似である。
【００２３】
図３は、図２ａの実施形態によるマスクを伸びた状態で内部から見た斜視図だ。二つの両位置１９において中間折曲線１１と両フランジ接合線１３とを中心にして、鼻方向の第１の部分３０はシワ部１４の曲面接合線１４ｂ、シワ部１４の水平折曲線１４ａ及び第１の部分３０の下端１８が全て呈するように展開される。第１の部分３０と同様に、顎方向の第２の部分４０も展開される。第１の部分３０において両傾斜エッジ１８ａを有する下端１８とシワ部１４の水平折曲線１４ａとの聞のバンドは、第２の部分４０における対応バンドと連結されて、全体としてリングバンド２５を構成する。
【００２４】
図４は、図２の実施形態によるマスクを着用した状態で外部から見た斜視図である。中間折曲線１１と両フランジ接合線１３とを中心にして、上部としての第１の部分３０は、シワ部１４の曲面接合線１４ｂ、シワ部１４の水平折曲線１４ａ及び下端１８が全て呈するように展開される。下部としての第２の部分４０も、第１の部分３０と同様に展開される。
【００２５】
図５ａ及び図５ｂは、本発明の他の実施形態を示すもので、各々、マスクの正面図及び背面図である。図２ａに示す例と類似であるが、中間折曲線１１の両端に行くほど下方へ傾斜した接合線１３を有する接合部としての両フランジ１２を除いた中間接合部の余白は除去される。シワ部１４においてシワ部接合線下の両端の一部シワ部の余りは接合されて、シワ部接合部１４ｃを形成する。このシワ部接合部１４ｃは、ハーネス２１を固定するのに使われる。このシワ部接合部１４ｃは、その両側部が両フランジ接合線１３と共に接合されているが、場合によっては、切開されてもよい。第１の部分３０の下端１８は、前記シワ部１４より下方へ延びて、その下端が両端に行くほど上方へ傾斜した曲面エッジ１８ａを有し、前記水平折曲線１４ａと前記シワ部の両曲面接合線１４ｂとが前記フランジ１２の接合線１３上の同じ位置１９にて互いに会うことは、図２ａのことと同様である。図５ｂにおける下部としての第２の部分４０は、鼻クリップがないことを除いては、図５ａにおける上部としての第１の部分３０と類似である。
【００２６】
図６は、図５の実施形態によるマスクを着用した状態で外部から見た斜視図である。ハーネスの固定部位がシワ部接合部１４ｃになる点で、図４は異なる。
【産業上の利用可能性】
【００２７】
本発明による水平折り畳み式顔面部濾過式呼吸器は、産業現場の有害ガスから着用者の呼吸器官を保護、または生活上の汚染空気を遮断するために、広く使われることができる。
【符号の説明】
【００２８】
１：従来の折り畳み式マスク
２：側面フランジ
３：上面シワ
４：下面の第１シワ
５：下面の第２シワ
１０：本発明による一つのマスク
１１：中間折曲線
１１ａ：中間折曲線下の余分の接合部
１２：フランジ
１３：フランジ接合線
１４：シワ部
１４ａ：水平折曲線
１４ｂ：シワ部接合線
１４ｃ：シワ部接合部
２０：本発明による他のマスク
３０：第１の部分
４０：第２の部分
【図１ａ】
0006308297.tif 000002
【図１ｂ】
0006308297.tif 000003
【図２ａ】
0006308297.tif 000004
【図２ｂ】
0006308297.tif 000005
【図３】
0006308297.tif 000006
【図４】
0006308297.tif 000007
【図５ａ】
0006308297.tif 000008
【図５ｂ】
0006308297.tif 000009
【図６】
0006308297.tif 000010